(57)【要約】【課題】小型、軽量、低価格で拭き、掃き、磨き性能が高い吸込具を提供することを目的とする。【解決手段】塵埃を吸引する開口を有する吸込室１１と、前記吸込室１１に少なくとも１つ以上配設され表面が起毛布からなる回転子（８ａ、８ｂ）とを備え、前記回転子（８ａ、８ｂ）は、前記吸込室１１内に流れ込む気流ａおよび／または前記吸込室内を流れる気流ａにより回転する電気掃除機用吸込具で、回転子（８ａ、８ｂ）を空気の流れで回転させるため、モータ等の機械的駆動源が不要であり、小型、軽量、低価格で拭き、掃き、磨き性能が高い吸込具を提供することができる。【選択図】  図２
2004222842.tif 000002
【特許請求の範囲】
【請求項１】
塵埃を吸引する開口を有する吸込室と、前記吸込室に少なくとも１つ以上配設され表面が起毛布からなる回転子とを備え、前記回転子は、前記吸込室内に流れ込む気流および／または前記吸込室内を流れる気流により回転する電気掃除機用吸込具。
【請求項２】
起毛布に直接気流が当たることで、回転子が回転する請求項１記載の電気掃除機用吸込具。
【請求項３】
起毛布の繊維を倒伏させるとともに、前記倒伏している繊維の先端側から、気流を起毛布に当てる請求項２記載の電気掃除機用吸込具。
【請求項４】
起毛布の繊維を、一方向に倒伏させた請求項３記載の電気掃除機用吸込具。
【請求項５】
回転子の回転軸に対して、略垂直に起毛布の繊維を倒伏させた請求項３または４記載の電気掃除機用吸込具。
【請求項６】
起毛布を回転子の外周に螺旋状に巻きつけた請求項２〜５のいずれか１項に記載の電気掃除機用吸込具。
【請求項７】
起毛布の繊維に硬化剤を塗布した請求項２〜６のいずれか１項に記載の電気掃除機用吸込具。
【請求項８】
起毛布の繊維長を４ｍｍ以上とした請求項２〜７のいずれか１項に記載の電気掃除機用吸込具。
【請求項９】
起毛布の繊維径を０．１ｍｍ以下とした請求項２〜８のいずれか１項に記載の電気掃除機用吸込具。
【請求項１０】
起毛布の材質をナイロンとした請求項２〜９のいずれか１項に記載の電気掃除機用吸込具。
【請求項１１】
回転子に気流を当てるための風受部を設けた請求項１〜１０のいずれか１項に記載の電気掃除機用吸込具。
【請求項１２】
吸込室に風量調節部を設けた請求項１〜１１のいずれか１項に記載の電気掃除機用吸込具。
【請求項１３】
掃除機本体が内蔵する吸引風を発する電動送風機に、請求項１〜１２のいずれか１項に記載の電気掃除機用吸込具の吸込室が連通する電気掃除機。
【発明の詳細な説明】
【０００１】
【発明の属する技術分野】
本発明は、塵埃を吸引する電気掃除機用吸込具およびそれを用いた電気掃除機に関するものである。
【０００２】
【従来の技術】
従来のこの種の電気掃除機用吸込具は、吸込口内に極細繊維を使用した起毛布を横幅のベルト状に形成した回転起毛布を、その内部に配設した主動ドラムと従動ドラムにて回転自在に構成し、さらに主動ドラムを回転させる駆動源を内設したものであり、被掃除面に対して軟らかい弾力性が得られしかも極めてソフトな感触によりぞうきんがけと同様の作用が得られ、傷付けが解消できると共にベルト状の回転起毛布を吸込具の往復動作に関係なく回転させる駆動源を内設したものであり、被掃除面に対して拭き、掃き、磨きの作用が得られることにより、特に汚れのひどい被掃除面に対して短時間に効率よく掃除作業が行えるものである（例えば、特許文献１参照）。
【０００３】
【特許文献１】
特開平６−７０８６８号公報
【０００４】
【発明が解決しようとする課題】
しかしながら上記従来の構成では、回転起毛布を回転させる駆動源を内設させる必要があり吸込具の大型、重量化になっていた。また、ベルトもしくはギアなどの機構が必要なため複雑になり単価が高くなるという問題があった。
【０００５】
本発明は上記従来の課題を解決するもので、小型、軽量、低価格で拭き、掃き、磨き性能が高い電気掃除機用吸込具および電気掃除機を提供することを目的としている。
【０００６】
【課題を解決するための手段】
本発明は上記目的を達成するために、塵埃を吸引する開口を有する吸込室と、前記吸込室に少なくとも１つ以上配設され表面が起毛布からなる回転子とを備え、前記回転子は、前記吸込室内に流れ込む気流および／または前記吸込室内を流れる気流により回転する電気掃除機用吸込具で、回転子を空気の流れで回転させるため、モータ等の機械的駆動源が不要であり、小型、軽量、低価格で拭き、掃き、磨き性能が高い吸込具を提供することができる。
【０００７】
【発明の実施の形態】
本発明の請求項１に記載の発明は、塵埃を吸引する開口を有する吸込室と、前記吸込室に少なくとも１つ以上配設され表面が起毛布からなる回転子とを備え、前記回転子は、前記吸込室内に流れ込む気流および／または前記吸込室内を流れる気流により回転する電気掃除機用吸込具で、回転子を空気の流れで回転させるため、モータ等の機械的駆動源が不要であり、小型、軽量、低価格で拭き、掃き、磨き性能が高い吸込具を提供することができる。
【０００８】
本発明の請求項２に記載の発明は、起毛布に直接気流が当たることで、回転子が回転するもので、起毛布のみの構成でその他に機構部品を用いないため構造が単純で、信頼性が高く低価格な吸込具を提供することができる。
【０００９】
本発明の請求項３に記載の発明は、起毛布の繊維を倒伏させるとともに、前記倒伏している繊維の先端側から、気流を起毛布に当てるもので、倒伏している繊維の先端側から、気流を起毛布に当てることで、倒伏している繊維が風受けとなり、強い回転力が得られ、拭き、掃き、磨き性能が高い吸込具を提供することができる。
【００１０】
本発明の請求項４に記載の発明は、起毛布の繊維を、一方向に倒伏させたもので、起毛布の繊維全体が風受けとなることで、より強い回転力が得られ、拭き、掃き、磨き性能が高い吸込具を提供することができる。
【００１１】
本発明の請求項５に記載の発明は、回転子の回転軸に対して、略垂直に起毛布の繊維を倒伏させたもので、倒伏している繊維が風受けとなり、強い回転力が得られ、拭き、掃き、磨き性能が高い吸込具を提供することができる。
【００１２】
本発明の請求項６に記載の発明は、起毛布を回転子の外周に螺旋状に巻きつけたもので、起毛布を螺旋状に巻きつけることにより、起毛布のつなぎ目に気流が入り易くなることで、風を受けやすくなり、より大きな回転力が得られ拭き、掃き、磨き性能が高い吸込具を提供することができる。
【００１３】
本発明の請求項７に記載の発明は、起毛布の繊維に硬化剤を塗布したもので、起毛布の繊維が風を受けた時に、起毛布の繊維の腰が強いため、より大きな回転力が得られ拭き、掃き、磨き性能が高い吸込具を提供することができる。
【００１４】
本発明の請求項８に記載の発明は、起毛布の繊維長を４ｍｍ以上としたもので、起毛布の繊維長を４ｍｍ以上とすることによって、風をより大きな面積で受けることができるため、より大きな回転力が得られ拭き、掃き、磨き性能が高い吸込具を提供することができる。
【００１５】
本発明の請求項９に記載の発明は、起毛布の繊維径を０．１ｍｍ以下としたもので、繊維径を０．１ｍｍ以下にすることにより、配設する起毛布の繊維の密度を大きくすることができ、風をより大きな面積で受けることができるため、より大きな回転力が得られ拭き、掃き、磨き性能が高い吸込具を提供することができる。
【００１６】
本発明の請求項１０に記載の発明は、起毛布の材質をナイロンとしたもので、羊毛等の天然繊維よりも耐久性が高く、低価格な吸込具を提供することができる。
【００１７】
本発明の請求項１１に記載の発明は、回転子に気流を当てるための風受部を設けたもので、起毛布だけでなく、風を受けても変形せず漏れのない羽根等の風受部によっても風を受けることができるため、より大きな回転力が得られ拭き、掃き、磨き性能が高い吸込具を提供することができる。
【００１８】
本発明の請求項１２に記載の発明は、吸込室に風量調節部を設けたもので、風量が大きい時は、吸込室内を開放に近づけ回転子の回転数を下げることで騒音防止、また、風量が少ない時は、吸込室内を密閉に近づけ回転子の回転数を上げることで、使用性および拭き、掃き、磨き性能の向上が実現できる。
【００１９】
本発明の請求項１３に記載の発明は、掃除機本体が内蔵する吸引風を発する電動送風機に、請求項１〜１２のいずれか１項に記載の電気掃除機用吸込具の吸込室が連通する電気掃除機で、使用性の高い電気掃除機を提供できる。
【００２０】
【実施例】
（実施例１）
以下、本発明の第１の実施例を、図１〜図４を用いて説明する。
【００２１】
本実施形態は、図１に示すような床移動型の電気掃除機１について示すものである。この電気掃除機１は、塵埃を吸引する吸口体１３と前記吸口体１３に着脱自在な吸込具３を有し、先端に前記吸込具３を着脱可能に装着した延長管２は、手元ハンドル４に連結され、前記手元ハンドル４に接続されたホース６は、ホース継ぎ手５によって掃除機本体７に連結されている。なお、吸口体１３と吸込具３は、前記吸口体１３に前記吸込具３を装着した状態でも、また、前記吸口体１３から前記吸込具３を外した状態の前記吸込具３単独でも、被掃除面の塵埃を吸引でき、前記掃除機本体７の集塵部（図示せず）に塵埃を移送できる構成となっている。
【００２２】
吸込具３は、図２に示すように、極細繊維の紡績布からなるカット繊維状の起毛布を巻きつけられた２個の回転子８ａ、８ｂを、塵埃を吸引する開口を有する吸込室７に臨んで設けている。回転子８ａ、８ｂの外周に巻き付けられた起毛布の繊維は、図３に示すように、回転軸８ｃに対して略垂直方向（回転方向とは反対方向）の一方向に倒伏されており、かつ螺旋状に巻きつけられている。また、起毛布の繊維長は４ｍｍ、太さは直径０．１ｍｍ、材質はナイロンの繊維で構成されており、起毛布の繊維には硬化剤なるシリコーンまたはワックスを塗布している。さらに、図４に示すように、吸込具３の先端部には開閉可能なように、風量調節部である風量調節弁９が設けられ、弾性体なるバネ１０によって保持されている。
【００２３】
なお、本実施例においては、回転子は２個設けられているが、１個でも、また２個以上を有していても、以下に述べる拭き、掃き効果は十分発揮できる。
【００２４】
上記構成における動作は、以下の通りである。
【００２５】
掃除機本体７を動作させると、前記掃除機本体７に内蔵されている電動送風機（図示せず）が作動し、吸込室１１に向かって吸引風ａが流れる。その後、前記吸引風ａは、回転子８ａ、８ｂの起毛布に衝突することで、風圧により回転子８ａ、８ｂを回転させる。なお、本実施例においては、被掃除面と吸込具３の下面の隙間より、前記吸込室１１へと流入する吸引風ａによって回転させるものであるが、さらに、前記吸込具３の側面に開口を設け、前記開口より吸引風ａを前記吸込室１１内に流入させ、前記吸込室１１内に流入させた吸引風により、前記回転子８ａ、８ｂを回転させる構成としてもよい。
【００２６】
また、回転子８ａ、８ｂの外周に巻き付けられた起毛布の繊維は、回転軸８ｃに対して略垂直方向（回転方向とは反対方向）に倒伏されており、吸引風ａは、その倒伏された起毛布の先端側から、前記回転子８ａ、８ｂに衝突するため、倒伏している繊維が風受けとなり、強い回転力が得られる。なお、吸引風ａは、その倒伏された起毛布の先端側から、前記回転子８ａ、８ｂに衝突するが、起毛布の繊維の根元側から吸引風ａが流入しなければ、回転力は得られるが、前記起毛布の先端に対して、吸引風ａが左右方向に各々略４５°の範囲で流入するのが望ましい。
【００２７】
また、風量調節弁９は、吸引風により押され、吸込室１１の前方が開き、バネ１０と力のバランスが取れる位置で静止する。これにより、風量が大きい時は吸込室１１内を開放に近づけ、回転子８ａ、８ｂの回転数を下げることによる騒音防止、または風量が少ない時は、吸込室１１内を密閉に近づけ回転子８ａ、８ｂの回転数を上げることにより、拭き、掃き、磨き性能の向上が実現できる。
【００２８】
以上により、本実施例においては、外周に起毛布を巻き付けた回転子８ａ、８ｂを、空気の流れだけで回転させることができるため、モータ等の機械的駆動源が不要であり、小型、軽量、低価格で拭き、掃き、磨き性能が高い吸込具を提供することができる。
【００２９】
また、起毛布の繊維に直接空気を当てて回転させるため、起毛布のみの構成でその他に機構部品を用いないため、構造が単純で、信頼性が高く低価格な吸込具を提供することができる。
【００３０】
また、起毛布の繊維を、回転軸に対して略垂直方向（回転方向とは反対方向）に倒伏させることにより、風圧を受けることができることで、風を受けやすくなり、より大きな回転力が得られ拭き、掃き、磨き性能が高い吸込具を提供することができる。
【００３１】
次に、起毛布の繊維を、一方向（回転軸に対して略垂直方向（回転方向とは反対方向））に倒伏させることによって、空気が当たった時だけ繊維が起き、風車のように風を受けやすくなり、より大きな回転力が得られ拭き、掃き、磨き性能が高い吸込具を提供することができる。
【００３２】
また、起毛布を回転子の外周に螺旋状に巻きつけたもので、起毛布を螺旋状に巻きつけることにより、起毛布のつなぎ目に向かって気流が衝突することで、風を受けやすくなり、より大きな回転力が得られ拭き、掃き、磨き性能が高い吸込具を提供することができる。
【００３３】
さらに、起毛布の繊維に硬化剤を塗布したもので、起毛布の繊維が風を受けた時に、起毛布の繊維の腰が強いため、より大きな回転力が得られ拭き、掃き、磨き性能が高い吸込具を提供することができる。
【００３４】
さらに、同じ密度でも繊維長が４ｍｍ未満だと十分な回転力が得られず拭き、掃き、磨き性能が低い。そこで繊維長を４ｍｍ以上とすることによって、風をより大きな面積で受けるため、より大きな回転力が得られ拭き、掃き、磨き性能が高い吸込具を提供することができる。但し、製造上、今現在では繊維長は３０ｍｍ以下しか製造できない。
【００３５】
また、同じ繊維長でも繊維太さを直径０．１ｍｍより大きくすると、起毛布の密度が薄くなってしまい十分な回転力が得られず拭き、掃き、磨き性能が低い。
そこで繊維太さを直径０．１ｍｍ以下に細くすることにより起毛布の繊維をより密度濃く配設することができ風をより大きな面積で受けるため、より大きな回転力が得られ拭き、掃き、磨き性能が高い吸込具を提供することができる。但し、製造上、今現在では繊維太さは直径０．０２ｍｍ以上しか製造できない。
【００３６】
次に、起毛布の繊維の材質をナイロンとすることにより羊毛等の天然繊維よりも耐久性が高く、低価格な吸込具を提供することができる。
【００３７】
（実施例２）
次に、本発明の第２の実施例を図５を用いて説明する。なお、上記実施例と同一構成部品には同一符号を付し、その説明は省略する。
【００３８】
図５において、回転子８ａは起毛布とともに、風受部なる羽根１２を具備している。
【００３９】
上記構成における動作は以下の通りである。
【００４０】
掃除機本体７を動作させたとき発生した吸引風は、回転子８ａ、８ｂの起毛布とともに、羽根１２に風圧による動力を伝達することで、前記回転子８ａ、８ｂは回転し、被掃除面の塵埃を拭き、掃き、磨いた後、塵埃は、延長管２、手元ハンドル４、ホース６、ホース継ぎ手５を通して掃除機本体７に吸引される。
【００４１】
起毛布の繊維以外に、回転子８ａを回転させるために、空気を当てるための羽根１２を設けることにより、起毛布だけでなく風を受けても変形せず漏れのない羽根によって風を受けることができるため、より大きな回転力が得られ拭き、掃き、磨き性能が高い吸込具を提供することができる。
【００４２】
なお、本実施例では回転子８ａに羽根１２を直接設け動力を伝達する構成としたが、羽根１２が前記回転子８ａに直接設けられてなく、ベルト等の伝達機構を用いて回転子８ａに動力を伝達するものであっても同様の効果が得られるものである。
【００４３】
【発明の効果】
以上のように本発明によれば、小型、軽量、低価格で拭き、掃き、磨き性能が高い電気掃除機用吸込具および電気掃除機を提供できる。
【図面の簡単な説明】
【図１】本発明の第１の実施例を示す電気掃除機の斜視図
【図２】同電気掃除機用吸込具の下面図
【図３】同電気掃除機用吸込具の回転子の斜視図
【図４】同電気掃除機用吸込具の側断面図
【図５】本発明の第２の実施例を示す電気掃除機用吸込具の回転子の斜視図
【符号の説明】
１  電気掃除機
３  吸込具
７  掃除機本体
８ａ、８ｂ  回転子
９  風量調節弁
１１  吸込室
【図１】
2004222842.tif 000003
【図２】
2004222842.tif 000004
【図３】
2004222842.tif 000005
【図４】
2004222842.tif 000006
【図５】
2004222842.tif 000007